(57)【要約】【課題】  ネジの締め付けによる歪みが抑制され、さらに閃光発光部や押さえ部材に衝撃が加えられても基板が歪むことのないカメラを提供すること。【解決手段】  測距部１２とその測距部１２に隣接して配備された閃光発光部やファインダ１１や押さえ部材１５などの所定の組立体とに共通の基板１００を本体フレーム１０１に固定するにあたり、基板１００の、測距部１２が組立てられた部分を本体フレーム１０１にネジ止めによりしっかりと固定するとともに、その基板１００の、組立体が組み立てられた部分を本体フレーム１０１との間にスプリングワッシャ１０２ａを介してネジ止めにより固定する。このスプリングワッシャ１０２ａを介してネジ止めする部分の孔１００ｃの孔径を大きくしておく。さらに基板１００にスリット１００ａを設ける。【選択図】  図２
2005196010.tif 000002
【特許請求の範囲】
【請求項１】
被写体までの距離を測定する測距部を備え、該測距部で測定した被写体距離にピントを合わせて撮影を行なうカメラにおいて、
前記測距部と該測距部に隣接して配備された所定の組立体とに共通の基板、および
前記基板が固定される本体フレームを備え、
前記基板が、前記測距部と前記組立体との境界にスリットを有し、
前記基板の、前記測距部が組立てられた部分が、前記本体フレームに一体的に固定されるとともに、該基板の、前記組立体が組み立てられた部分が、前記本体フレームにバネ部材を介して固定されたものであることを特徴とするカメラ。
【発明の詳細な説明】
【技術分野】
【０００１】
本発明は、被写体までの距離を測定する測距部を備え、その測距部で測定した被写体距離にピントを合わせて撮影を行なうカメラに関する。
【背景技術】
【０００２】
カメラの中には被写体までの距離を測定する測距装置を備えたものが多い。このような測距装置は、撮影光学系内に組み込まれたり、撮影光学系の外に配備されたりする。撮影光学系内に測距装置が組み込まれる場合には、撮影光学系の光軸と測距装置の光軸との調整は比較的容易であるが、撮影光学系の外に測距装置が配備されるものにおいては、測距装置の光軸と撮影光学系の光軸の合わせ込みが難しくなる。特に測距装置がアクティブ型であって、発光器と受光器とが離れた位置に配設される場合には撮影光学系と測距装置の光軸の合わせ込みに加えて測距装置の発光器と受光器の光軸の合わせ込みもあるため、非常に光軸の合わせ込みが難しくなる。
【０００３】
閃光発光装置を備えたカメラにおいてこのように撮影光学系の外に測距装置を設ける場合には、その測距装置が測定する被写体を視認するファインダと測距装置で測定された被写体距離まで閃光を到達させる閃光発光部との双方に隣接して測距装置が配備されることが多い。また、測距装置とファインダと閃光発光部は、カメラボディ上方側に配置されることが多く、カメラの上方側にはスプールを回転させるためのギア列の軸芯を押さえる押さえ部材が配設されていることもある。
【０００４】
そこで、その押さえ部材や閃光発光部やファインダなどの組立体を測距装置とともに共通の基板上に組立てて基板の平面を基準にして測距装置やファインダや閃光発光部の光軸を合わせて置くことにより光軸調整を不要にしようとするとともに組立工数を低減しようとするカメラがある。
【０００５】
しかし、ギア列の軸芯を押さえる押さえ部材が基板に一体的に組立てられたり、発光管の位置がレンズ鏡胴の動きに連動して動くように構成されている閃光発光部が基板上に一体的に組立てられると、その押さえ部材や閃光発光部から基板に振動などが伝えられて基板が動いてしまうことがある。このため、基板を本体フレームにネジで強く締め付けることが必要になってくる。しかし、ネジで基板をあまり強く締め付けると基板が歪んでしまうこともある。さらにカメラとして機能しているときに押さえ部材や閃光発光部からの振動が基板に伝えられることもあり、強く締め付けられた基板がさらに歪んでしまうこともある。この歪みはネジが強く締め付けられているとほとんど元には戻らない。
【０００６】
ところで、閃光発光部や押さえ部材からの衝撃が基板に組立てられている他の組立体に伝達されることのないようにその閃光発光部や押さえ部材が組立てられている部分と他の組立体が組立てられている部分との境界にスリットを設けて衝撃が基板各部に伝達されないようにする技術が開示されている（特許文献１参照）。
【０００７】
しかし、スリットを設けて衝撃が伝達されることを防止しても、ネジの締め付け時の歪みが元に戻ることはなく、さらにカメラとして機能しているときに衝撃が若干でも基板に加えられると、基板全体が大きく歪んでしまうことがある。この歪みもネジが強く締め付けられていると元には戻らない。
【０００８】
このようにレンズ鏡胴の動きに連動して動く発光管を備えた発光部やギア列の軸芯を押さえる押さえ部材が測距装置と一体的に基板上に組立てられている場合には、測距装置等の光軸を一定に保つために基板を本体フレームにしっかりとネジ止め等で固定する必要があるため、ネジの締め付けにより基板全体が歪んでしまうことがある。またカメラとして機能しているときに、閃光発光部や押さえ部材から衝撃が基板に加えられて基板全体がさらに歪んでしまうこともある。この歪みもネジが強く締め付けられていると、元には戻らない。
【特許文献１】特開２００２−１８２２８９号公報
【発明の開示】
【発明が解決しようとする課題】
【０００９】
本発明は、上記事情に鑑み、ネジの締め付けによる歪みが抑制され、さらに閃光発光部や押さえ部材に衝撃が加えられても基板が歪むことのないカメラを提供することを目的とする。
【課題を解決するための手段】
【００１０】
上記目的を達成する本発明のカメラは、被写体までの距離を測定する測距部を備え、その測距部で測定した被写体距離にピントを合わせて撮影を行なうカメラにおいて、
上記測距部とその測距部に隣接して配備された所定の組立体とに共通の基板、および
上記基板が固定される本体フレームを備え、
上記基板が、上記測距部と上記組立体との境界にスリットを有し、
上記基板の、上記測距部が組立てられた部分が、上記本体フレームに一体的に固定されるとともに、その基板の、上記組立体が組み立てられた部分が、上記フレームにバネ部材を介して固定されたものであることを特徴とする。
【００１１】
上記本発明のカメラによれば、上記基板の、上記組立体が組立てられた部分が、上記フレームに上記バネ部材を介して固定される。そうするとネジの締め付け時に測距部が組立てられた部分が一体的に例えば強くネジ止めされたとしてもそのネジ止めにより発生する歪みが上記バネ部材により吸収される。さらに上記組立体例えば閃光発光部や押さえ部材が組立てられた部分から基板に衝撃が加えられたときには、上記スリットとともに上記バネ部材がその衝撃を弾力的に吸収するように作用する。このようにすると、上記スリットがいままでのものに比べてより効果的に働く。
【発明の効果】
【００１２】
以上、説明したように、本発明によれば、ネジの締め付けによる歪みが抑制され、さらに閃光発光部や押さえ部材に衝撃が加えられても基板が歪むことのないカメラが実現される。
【発明を実施するための最良の形態】
【００１３】
以下、本発明の実施形態について説明する。
【００１４】
ここでは、本発明の機器の一実施形態であるカメラを取り上げて説明する。
【００１５】
図１は、カメラ１の外観図である。
【００１６】
図１に示すように、カメラボディ１ａ中央にレンズ鏡胴１０が配備されており、そのレンズ鏡胴１０の上方にファインダ１１が配備されている。またファインダ１１を挟んで両側に測距用の発光窓１２ａと受光窓１２ｂが設けられており、受光窓１２ｂの隣には閃光発光窓１３ａが設けられている。
【００１７】
このカメラ１は被写体までの距離を測定する測距装置を備えたものであり、その測距装置で測定した被写体距離にピントをあわせて撮影を行なうものである。カメラボディ上面にあるレリーズ釦１４が押されると、測距装置が作動してピントのあった撮影が行われる。
【００１８】
図２は、図１のカメラ１のカメラボディ１ａを取り外し、カメラボディ１ａの上方部を外側斜め上方から見た図である。この図２には測距装置１２などが組立てられた基板１００とその基板１００が固定される本体フレーム１０１が示されている。また図３は測距装置１２などが組立てられた基板１００を上方から見た図である。
【００１９】
図２、図３に示すように、図１に示す発光部１２０から発光窓１２ａを通して光を被写体に向けて発光するとともに被写体に当たって戻ってくる戻り光を、受光窓１２ｂを通して受光部１２１で受光することにより被写体までの距離を測定する測距装置１２が基板１００に組立てられており、その基板１００にはこの測距装置１２に隣接して配備されるファインダ１１も組立てられている。またこの測距装置１２に隣接して配備される閃光発光部１３もこの基板１００に組立てられており、さらにフィルム給送モータ（図示せず）に連結されたギア列の軸芯を押さえる押さえ部材１５もこの基板１００上に共通に組立てられている。この基板１００に共通に組立てられているファインダ１１や閃光発光部１３やギア押さえ部材１５が本発明にいう所定の組立体にあたる。
【００２０】
図３に示す基板は、測距装置１２と組立体ここでは閃光発光部１３との境界にスリット（斜線で示す部分）１００ａを有し、その基板１００の、測距装置１２が組立てられた部分が、図２に示すように、本体フレーム１０１にネジ１０２によりしっかりと一体的に固定されるとともに、その基板１００の、組立体ここでは閃光発光部１３と押さえ部材１５とがそれぞれ組み立てられた部分が、本体フレーム１０１にバネ部材ここではスプリングワッシャ１０２ａを介して固定される。
【００２１】
また、図３の示すように基板１００の、測距装置１２が組立てられた部分にはネジ径よりもやや大きめの径を持つ孔１００ｂが穿設されており、基板の１００、組立体ここでは閃光発光部１３と押さえ部材１５が組立てられた部分には、ネジ径よりもかなり大きな径を持つ孔１００ｃが穿設されている。図２に示すようにそれらの孔１００ｂ，１００ｃにネジ１０２がそれぞれ挿通され、本体フレーム１０１に切られているネジ受入部（図示せず）にネジ１０２が挿入されると、本体フレーム１０１に基板１００が固定される。このように測距装置１２が組立てられた部分が本体フレーム１０１にネジ止めにより一体的に固定され、組立体ここでは閃光発光部１３と押さえ部材１５が組立てられた部分がスプリングワッシャ１０２ａを介してネジ止めにより本体フレーム１０１に弾力的に固定される。さらにこのスプリングワッシャ１０２ａを介して本体フレーム１０１に基板１００がネジ止めされるときには、基板１００に開けられた、ネジ径よりもかなり大きな孔１００ｃにネジが挿通されてから本体フレーム１０１のネジ受入部に挿入されて基板１００がその孔径分動くことができるように本体フレーム１０１に固定される。
【００２２】
前述したようにネジ１０２により基板１００をあまり強く締め付けて本体フレーム１０１にその基板１００を固定すると、ネジ１０２の締め付けにより基板１００に歪みが生じてしまったり、また図１に示すカメラが動作しているときに、押さえ部材１５や閃光発光部１３から基板１００に衝撃が加えられて基板１００が歪んでしまうことがあった。そこで基板１００をネジ止めにより固定するときに、測距装置１２が組立てられた部分はネジ止めによりしっかりと一体的に固定して、押さえ部材１５や閃光発光部１３などの組立体が組立てられた部分は、スプリングワッシャ１０２ａを介して弾力的に固定してスプリングワッシャ１０２ａにより歪みが吸収されるように改善している。
【００２３】
また、スプリングワッシャ１０２ａによりネジの軸方向（以下スラスト方向という）に生じる歪みを弾力的に受け取るとともにネジ径よりも大きな径を持つ孔１００ｃによりスラスト方向に対して直交する方向つまり基板１００の面に沿った方向（以下ラジアル方向という）に生じる歪みも弾力的に受け取るようにして、測距装置１２が組立てられた部分が本体フレームに一体的にネジ止めにより固定された時にスプリングワッシャ１０２ａと孔１００ｃにより歪みが効果的に吸収されるようにも改善している。
【００２４】
さらに、この基板１００が本体フレーム１０１に固定されたカメラが使用されているときに閃光発光部１３や押さえ部材１５から基板１００に衝撃が加えられてもスリット１００ａとスプリングワッシャ１０２ａと孔１００ｃによりその衝撃が吸収されるようにもしている。
【００２５】
このようにすると基板１００を強くネジ止めした時の歪みがスプリングワッシャ１０２ａと孔１００ｃによって吸収され、さらにその基板１００が本体フレーム１０１に固定されたカメラが動作しているときに閃光発光部１３や押さえ部材１５から基板１００に衝撃が加えられたとしても、スリット１００ａとスプリングワッシャと孔１００ｃによって基板１００の歪みが効果的に吸収される。
【図面の簡単な説明】
【００２６】
【図１】本発明の実施形態であるカメラの外観図である。
【図２】図１のカメラのカメラボディを取り外し、カメラボディ上方部をカメラボディ外側斜め上方から見た図である。
【図３】測距装置などが組立てられた基板を上方から見た図である。
【符号の説明】
【００２７】
１    カメラ
１ａ  カメラボディ
１０    レンズ鏡胴
１１    ファインダ
１２    測距装置
１２０  発光部
１２１    受光部
１２ａ    発光窓
１２ｂ    受光窓
１３    閃光発光部
１３ａ    閃光発光窓
１４    レリーズ釦
１００    基板
１００ａ    スリット
１００ｂ      孔（ネジ径よりもやや大きめの孔）
１００ｃ      孔（ネジ径よりもかなり大きな孔）
１０１    本体フレーム
１０２    ネジ
【図１】
2005196010.tif 000003
【図２】
2005196010.tif 000004
【図３】
2005196010.tif 000005